(57)【要約】【課題】送信者から受信者に対しギフトデータとともに電子マネーあるいは電子マネー受取データを送信可能なギフトシステムを提供する。【解決手段】送信者端末２からギフトデータ入力ページ２００にアクセスし、メッセージ入力部２０１にメッセージデータ、メールアドレス入力部２０２にメールアドレス、単価入力部２０３に単価を入力し、送信ボタン２０６をクリックすると、受信者端末３にメールが送られ、このメールに記載のギフトデータ表示ページ３００のＵＲＬにアクセルがあると、ギフトデータ表示ページ３００のメッセージ表示部３０１にメッセージデータが表示されるとともに、電子マネーであるポイントが付与される。【選択図】図５
2017191392.tif 000002
【特許請求の範囲】
【請求項１】
ネットワークを介して送信者から受信者に対しギフトデータを送信するギフトシステムであって、
上記ギフトデータを入力するギフトデータ入力手段と、
上記ギフトデータ入力手段により入力されたギフトデータのデータ量を算出するデータ量算出手段と、
上記データ量算出手段により算出されたデータ量に乗算する単価を入力する単価入力手段と、
上記データ量算出手段により算出されたデータ量に上記単価を乗算し上記受信者に送信する電子マネーを算出する電子マネー算出手段と、を備え、
上記電子マネー算出手段により算出された電子マネーあるいは該電子マネーを受け取るための電子マネー受取データと、上記ギフトデータ入力手段により入力されたギフトデータと、を上記受信者に送信すること
を特徴とするギフトシステム。
【発明の詳細な説明】
【技術分野】
【０００１】
本発明は、送信者から送られてきたデータ量に基づいて、受信者が電子マネーを受け取ることが可能なギフトシステムに関する。
【背景技術】
【０００２】
従来から、誕生日、成人式、バレンタインデー、入学、母の日、父の日、敬老の日、人事異動、移転、引っ越しなど年間を通して贈答の機会は沢山ある。例えば、開業、開店祝い等にはお祝いメッセージとともに胡蝶蘭が贈られることが多い。
【０００３】
確かに胡蝶蘭は見た目が華やかであり観賞用としては好適であるが、胡蝶蘭は、世話が大変であるとともに、全ての人から胡蝶蘭が贈られて来たならば、胡蝶蘭だらけになってしまいかえって迷惑な品物になってしまうこともある。このような事態は、贈る側が贈りたいものともらう側がもらいたいものとの間に齟齬が生じていることに起因する。
【０００４】
このような問題を解決すべく発明された特許文献１のようなネットワークを用いたギフトシステムもある。具体的には、このギフトシステムは、複数の商品情報を掲載したギフトサーバを用意して、贈主利用者は贈主利用者端末を通じてこのギフトサーバにアクセスして前記複数の商品情報中から１以上の商品を選択してカタログデータを生成する。すると、この生成されたカタログデータが、前記ギフトサーバを通じて受取利用者端末上に表示されるように構成されている。このように構成したことにより、贈主利用者は受取利用者を想定してその相手の趣味や趣向を考慮しながらその都度カタログデータを作成できるため、お仕着せ的な商品が多数網羅されたカタログの配布よりも贈主の意図が反映した（心のこもった）ギフトが可能といった効果を奏するとしている。
【先行技術文献】
【特許文献】
【０００５】
【特許文献１】特開２００１−２１６３９８号公報
【発明の概要】
【発明が解決しようとする課題】
【０００６】
上述のギフトシステムを利用すれば、確かに、もらう側が胡蝶蘭だらけになってしまうといった問題は解決できるとともに、もらう側としてもある程度、自分が欲しいものが入手できる。しかしながら、カタログデータは贈主が生成したものであり、その中にもらう側が欲しいものがあるとは限らず、完全には贈る側ともらう側との間の齟齬を解消することはできない。
【０００７】
本発明はこのような問題を解決するためになされたものであり、その目的とするところは、贈答の場において贈る側ともらう側との齟齬を解消するとともに、簡易にお祝いメッセージ等のギフトデータと電子マネーを送信可能なギフトシステムを提供することある。
【課題を解決するための手段】
【０００８】
前記の目的を達成するため、本発明のギフトシステムは、ネットワークを介して送信者から受信者に対しギフトデータを送信するギフトシステムであって、上記ギフトデータを入力するギフトデータ入力手段と、上記ギフトデータ入力手段により入力されたギフトデータのデータ量を算出するデータ量算出手段と、上記データ量算出手段により算出されたデータ量に乗算する単価を入力する単価入力手段と、上記データ量算出手段により算出されたデータ量に上記単価を乗算し上記受信者に送信する電子マネーを算出する電子マネー算出手段と、を備え、上記電子マネー算出手段により算出された電子マネーあるいは該電子マネーを受け取るための電子マネー受取データと、上記ギフトデータ入力手段により入力されたギフトデータと、を上記受信者に送信することを特徴とする。
【発明の効果】
【０００９】
本発明によれば、ギフトデータを入力するギフトデータ入力手段と、ギフトデータ入力手段により入力されたギフトデータのデータ量を算出するデータ量算出手段と、データ量算出手段により算出されたデータ量に乗算する単価を入力する単価入力手段と、データ量算出手段により算出されたデータ量に単価を乗算し受信者に送信する電子マネーを算出する電子マネー算出手段と、を備え、電子マネー算出手段により算出された電子マネーあるいは該電子マネーを受け取るための電子マネー受取データと、ギフトデータ入力手段により入力されたギフトデータと、を受信者に送信するように構成した。すなわち、贈答の場において、贈る側である送信者は、メッセージデータ等のギフトデータとともに、このギフトデータのデータ量に自身が設定する単価を乗算したものを電子マネーとして、もらう側である受信者に贈ることができるので、贈る側ともらう側との間の齟齬を解消できるといった効果を奏する。
【図面の簡単な説明】
【００１０】
【図１】本発明に係る実施形態のギフトシステムのブロック図。
【図２】本発明に係る実施形態のユーザ情報記憶テーブルの一例を示す図。
【図３】本発明に係る実施形態のパスワード入力ページを示す図。
【図４】本発明に係る実施形態のギフトデータ入力ページを示す図。
【図５】本発明に係る実施形態のギフトデータ表示ページを示す図。
【図６】本発明に係る実施形態のユーザ情報登録ページを示す図。
【図７】本発明に係る実施形態のユーザログ情報記憶テーブルを示す図。
【図８】本発明に係る実施形態のギフトシステムの処理手順を示すフローチャート。
【発明を実施するための形態】
【００１１】
本発明に係る実施形態のギフトシステムについて図面を参照して説明する。本実施形態においては、贈る側を送信者、受け取る側を受信者とし、送信者から受信者に対しギフトデータとして開店祝いメッセージデータを送る場合について説明する。
【００１２】
本実施形態のギフトシステム１は、インターネット４を介して送信者端末２から受信者端末３に対しメッセージデータを送信するように構成されており、メッセージデータを入力するギフトデータ入力手段１１と、ギフトデータ入力手段１１により入力されたメッセージデータの文字数を算出するデータ量算出手段１２と、データ量算出手段１２により算出された文字数に乗算する単価を入力する単価入力手段１３と、データ量算出手段１２により算出された文字数に上記単価を乗算し受信者端末３に送信する電子マネーを算出する電子マネー算出手段１４と、を備えている。
【００１３】
さらに、ギフトシステム１は、送信者端末２から送信されるメッセージデータ及び電子マネー受取データを受け取るための後述するギフトページ３００を生成するギフトページ生成手段１５と、送信者端末２から受信者端末３に対しメッセージデータ及び電子マネー受取データが送信されたことを通知するためのメールを生成するメール生成手段１６と、ギフトシステム１を利用するユーザのユーザ情報が記憶されるデータベース１７を備える。
【００１４】
本実施形態においては、ギフトシステム１が提供するウェブサイトに送信者端末２あるいは受信者端末３がアクセスすることにより、送信者端末２から受信者端末３に対し、メッセージデータ及び電子マネー受取データを送信し、これらデータを受信者端末３が受け取ることができるように構成されている。以下各構成について図1乃至５、７を参照して説明する。
【００１５】
ギフトデータ入力手段１１、データ量算出手段１２、単価入力手段１３及び電子マネー算出手段１４は、該ウェブサイトが提供するギフトデータ入力ページ２００に組み込まれている。
【００１６】
ギフトページ入力ページ２００は、メッセージデータを入力するメッセージ入力部２０１と、送信先のメールアドレスを入力するメールアドレス入力部２０２と、単価を入力する単価入力部２０３と、メッセージ入力部２０１に入力された文字の文字数を表示する文字数表示部２０４と、送信者に贈る電子マネーの合計額が表示される電子マネー表示部２０５と、送信ボタン部２０６からなる。
【００１７】
メッセージ入力部２０１がギフトデータ入力手段１１となり、単価入力部２０３が単価入力手段１３となり、メッセージ入力部２０１に文字が入力されると入力された文字数がデータ量算出手段１２により算出され文字数表示部２０４に表示され、単価と文字数とから電子マネー算出手段１４により算出された合計金額が電子マネー表示部２０５に表示される。
【００１８】
ギフトページ生成手段１５は、送信者端末２から送信されたメッセージデータ及び電子マネーを受信者端末３に表示するためのギフトデータ表示ページ３００を生成する手段である。
【００１９】
メール生成手段１６は、送信者端末２から送信されたメッセージデータと、受信者端末３に贈られた電子マネーを表示するギフトデータ表示ページ３００を表示するためのURLが記載された受信者端末３宛てメールを生成する手段である。
【００２０】
データベース１７には、ギフトシステム１を利用するユーザの情報が記憶されるユーザ情報記憶テーブル５と、各ユーザの利用履歴が記憶されるユーザログ情報記憶テーブル６等が記憶される。
【００２１】
ユーザ情報記憶テーブル５は、ユーザの識別情報であるＩＤ５１、パスワード５２、氏名５３、クレジットカード情報５４、メールアドレス５５及び保有ポイント５６からなる。本実施形態においては、ネットショッピングに利用可能なポイントが電子マネーであり、各ユーザの保有しているポイントがこの保有ポイント５６として記憶される。本実施形態においては、1ポイント＝1円としているがこれに限定される必要はない。
【００２２】
ユーザログ情報記憶テーブル６は、各ユーザの利用履歴情報等であり、ユーザの識別情報であるＩＤ６１、利用日６２、メッセージデータ等を贈った送信先のメールアドレスである送信先６３、贈った際の単価６４、文字数６５、合計金額６６及びギフトデータ表示ページ３００のＵＲＬ６７からなる。
【００２３】
送信者端末２及び受信者端末３は、インターネット４に接続可能な情報通信端末であり、パソコン、スマートフォン、タブレット等と言った入力手段、表示部及び送受信部等を有する情報通信端末である。
【００２４】
次に、ギフトシステム１の処理手順について図２乃至８を参照して説明する。以下においては、送信者が特許太郎、受信者が日本次郎として説明する。
【００２５】
図８に示すように、ギフトシステム１が提供するウェブサイトのパスワード入力ページ１００に送信者端末２からアクセスする。パスワード入力ページ１００は、ＩＤ入力部１０１、パスワード入力部１０２、ＯＫボタン１０３及びキャンセルボタン１０４からなる。送信者が自身のＩＤ「ＧＴ１」をＩＤ入力部１０１、パスワード「ｔａｒｏ５５５」をパスワード入力部１０２にそれぞれ入力し（Ｓ１０１）、ＯＫであればＯＫボタン１０３をクリックする。すると、ギフトシステム１側ではユーザ情報記憶テーブル５をチェックし（Ｓ１０２）、登録されているユーザであればギフトデータ入力ページ２００が送信者端末２に表示される。
【００２６】
次いで、メッセージ入力部２０１にメッセージデータ「開店おめでとうございます。商売繁盛するよう陰ながら応援しています。」を入力すると、自動的に文字数が算出され文字数表示部２０４に文字数「３３」が表示される。続いて、送信者のメールドレス「ｊｉｒｏ＠ａｂｃ．ｊｐ」をメールアドレス入力部２０２に入力し、単価入力部２０３に自身が設定する単価を入力すると、単価「１，０００」と文字数「３３」が自動的に乗算され電子マネー表示部２０５に合計金額「３３，０００」が表示される。この内容でＯＫであれば、送信ボタン２０６をクリックして送信する（Ｓ１０３）。単価は自由に設定できるので、合計金額が高い場合には単価を減ずればよいし、合計金額が低い場合には単価を増加させればよい。
【００２７】
ギフトシステム１側において上記メッセージデータ等を受信すると（Ｓ１０４）、ギフトページ３００を生成し（Ｓ１０５）、送信者端末３に送るためのメールを生成し（Ｓ１０６）、該メールを受信者端末３に対し送信する（Ｓ１０７）。
【００２８】
受信者端末３からメールに記載されたＵＲＬにアクセスがあると、ギフトデータ表示ページ３００が受信者端末３に表示される（Ｓ１０９）。ギフトデータ表示ページ３００には送信者端末２から送られたメッセージデータがメッセージ表示部３０１に、合計金額がギフト金額表示部３０２に表示される。
【００２９】
受信者が確認し、受取ボタン３０３がクリックされ受取信号を受信すると（Ｓ１０９）、ユーザ情報登録ページ４００が受信者端末３に表示される（Ｓ１１０）。受信者が、氏名入力部４０１に氏名「日本次郎」、メールアドレス入力部４０２にメールアドレス「ｊｉｒｏ＠ａｂｃ．ｊｐ」、任意に設定したパスワード「ｊｉｒｏ３２１」、クレジットカード情報入力部４０４にクレジットカードの種類「ＣＲＥＤＩＴ」、番号「３％３７６８９０９８９」を入力し、送信ボタン４０５をクリックする。すると、ギフトシステム１側は、これら登録情報を受信し、ユーザ情報記憶テーブル５に「日本次郎」のユーザ情報が記憶される（Ｓ１１２）。この際、日本次郎の固有のＩＤ「ＧＴ２」が自動的に付されるとともに、特許太郎から送られた電子マネーが保有ポイント５６「３３，０００」として記憶される。
【００３０】
この保有ポイントは、予め登録されたポータルサイト、ネットショップ等において電子マネーとして利用できるほか、ギフトシステム１を利用する際の贈る側の電子マネーとしても利用できる。
【００３１】
また、本実施形態においては、未登録ユーザにメッセージデータ等を送った場合には、新規にユーザ情報を登録することによりポイントを受け取れるように構成した。一方、既登録ユーザにメッセージデータ等を送った場合には、ＩＤ及びパスワードを入力することにより、ユーザ情報記憶テーブル５にポイントが記憶されるように構成すればよい。この保有ポイントは、使用すればその分減算され、ポイントをもらえばその都度加算される。
【００３２】
なお、上記実施形態においては、ギフトデータをメッセージデータのみとして説明したが、これに画像データや動画データ等の他のデータを添付送信可能に構成してもよい。この場合には、データ量は文字数ではなく、それぞれのデータ単位に応じてデータ量を算出するように構成すればよい。
【００３３】
また、上記実施形態においては、本発明のギフトシステムを開店祝いに適用した場合について説明したが、これに限定されるわけではなく、例えば、スポーツ選手へ応援メッセージを送る場合、募金活動で支援メッセージを送る場合、ふるさと納税で納税メッセージを送る場合等、贈る側ともらう側が存在する種々の場合に適用可能である。
【符号の説明】
【００３４】
１      ギフトシステム
１１    ギフトデータ入力手段
１２    データ量算出手段
１３    単価入力手段
１４    電子マネー算出手段
１５    ギフトページ生成手段
１６    メール生成手段
１７    データベース
２      送信者端末
３      受信者端末
４      インターネット（ネットワーク）
５      ユーザ情報記憶テーブル
６      ユーザログ情報記憶テーブル
１００  パスワード入力ページ
２００  ギフトデータ入力ページ
３００  ギフトデータ表示ページ
４００  ユーザ情報登録ページ
【図１】
2017191392.tif 000003
【図２】
2017191392.tif 000004
【図３】
2017191392.tif 000005
【図４】
2017191392.tif 000006
【図５】
2017191392.tif 000007
【図６】
2017191392.tif 000008
【図７】
2017191392.tif 000009
【図８】
2017191392.tif 000010